(57)【要約】【課題】  検査をすると同時に、検査時に使用した機器等の情報を意識することなく、或は容易に取得し、さらに検査時に取得した画像情報と機器等の情報とを１対１に関連づけて記録する医療用画像記録システムを実現することを目的とする。【解決手段】  医療のための検査時の観察画像を取得するための映像処理部４と、前記検査時に使用した機器の情報を取得するための機器情報取得手段３と、前記画像情報取得手段によって取得した画像情報１１と、前記機器情報取得手段によって取得した機器情報１０とを関連づけられた１つの情報として記録する記録手段と、を有することを特徴とする医療用画像記録システムを実現する。【選択図】      図１
2005011309.tif 000002
【特許請求の範囲】
【請求項１】
医療のための検査時に観察画像を取得するための画像情報取得手段と、
前記検査時に使用した機器の情報を取得するための機器情報取得手段と、
前記画像情報取得手段によって取得した画像情報と、前記機器情報取得手段によって取得した機器情報とを関連づけられた１つの情報として記録する記録手段と、を有することを特徴とする医療用画像記録システム。
【請求項２】
前記機器情報取得手段によって取得する機器情報は、検査時に使用した機器の型名、シリアルナンバ、使用時間、使用回数、設定値のうち少なくとも１つを含むことを特徴とする請求項１記載の医療用画像記録システム。
【請求項３】
医療のための検査時に観察画像を取得するための画像情報取得手段と、
前記検査時に使用した薬剤、又は機器の情報を取得するための薬剤又は機器情報取得手段と、
前記画像情報取得手段によって取得した画像情報と、前記薬剤又は機器情報取得手段によって取得した薬剤又は機器の情報とを関連づけられた１つの情報として記録する記録手段と、を有することを特徴とする医療用画像記録システム。
【請求項４】
前記薬剤又は機器情報取得手段は、検査時に使用した薬剤又は機器に記載されている識別情報を読み込むための識別情報読取手段であることを特徴とする請求項３記載の医療用画像記録システム。
【発明の詳細な説明】
【技術分野】
【０００１】
本発明は、医療用の画像記録システムに関する。
【背景技術】
【０００２】
従来より、電子内視鏡等により検査して撮影された画像情報を記録しておき、検査後の診断や電子カルテの記入、治療効果の経過観察、複数のドクターによる検査結果や診断のカンファレンス等に有効に利用できるようにした医療用画像記録システムが提案されている（例えば、特許文献１参照。）。また、検査時に使用した機器の使用状況等の把握のために、検査に使用した機器の情報を取得し記録する機構を有する医療用画像記録システムも提案されている（例えば、特許文献２参照。）。
【０００３】
これら医療用画像記録システムにおいては、電子内視鏡等、医療機器の観察画像を患者データ（ＩＤ  ＮＯや名前など）と共に記録したり、検査終了後に電子カルテで検査のレポート作成する場合に、撮影した医療画像を電子カルテ上のレポート画面に貼り付けたりすると共に、検査の実施内容を記録し、検査に使用した機器の型名、Ｓ／Ｎ（シリアルナンバ）や使用した薬剤等を入力することが行われている。
【特許文献１】特開平０７−１４１４９８号公報
【特許文献２】特開２００１−４６３２６号公報
【発明の開示】
【発明が解決しようとする課題】
【０００４】
しかし、従来の医療用画像記録システムでは、検査の実施内容を記録するにあたって、検査に使用した機器の型名や、Ｓ／Ｎ等の情報を手入力する、もしくは、事前にデータベースに登録済みのリストから選択する等の手法をとっている。
大きな病院の場合では、年間約１万人にもおよぶ膨大な患者の検査を実施することになり、また、１つの検査に使用される機器だけでも様々な種類がある。例えば、電子内視鏡のみでも、十二指腸用内視鏡、食道用内視鏡、電気メス治療用内視鏡などのように様々な種類の内視鏡が存在する。さらに、同じ種類の内視鏡であっても、製品間に世代が存在し、例えば１０年前に導入された内視鏡と１年前に導入された内視鏡が混在されて使用されている等の場合も多い。
【０００５】
したがって、検査終了後に、検査に使用した機器の情報（例えば型名やＳ／Ｎ等）を電子カルテ等に記録することは、入力作業が非常に煩わしい作業となる。また、使用者の記憶やメモ等に頼るため、入力ミスを起こす可能性も高く、もし入力ミスを起こしたとしても気づきにくく間違いをそのまま放置してしまう可能性もある。さらに、検査した人間と検査後に診断する人間が異なる場合には、以上に述べたミスに気づくことは非常に難しくなる。
【０００６】
また、上記のとおり１年間に膨大な検査を実施するため、取り扱う画像情報も膨大になり、検査時に撮影した条件や使用機器等の情報と画像情報を、検査後に一致させることが難しくなる。さらに、撮影時に強調等の画像処理を実施している場合、後の画像情報再生時に画像処理の邪魔になるという問題点もある。
【０００７】
以上に述べた従来の医療用画像記録システムの問題点は、検査時に取得した画像情報取得手段と、画像取得時（検査時）に使用した医療用機器等の機器等の情報取得手段とが全く独立であるため、検査時に取得した画像情報と、画像取得時（検査時）に使用した医療機器等の情報とが１対１となる保証がない（人為的ミスによって画像情報と機器等の情報とが異なってしまう）ということである。
【０００８】
本発明は、このような従来の構成が有していた問題を解決しようとするものであり、検査をすると同時に（画像情報を取得すると同時に）、画像取得時（検査時）に使用した機器等の情報を意識することなく、或は容易に取得し、さらに検査時に取得した画像情報と、検査時に使用した機器等の情報とを１対１に関連づけて記録する医療用画像記録システムを実現することを目的とするものである。
【課題を解決するための手段】
【０００９】
請求項１記載の発明は、医療のための検査時の観察画像を取得するための画像情報取得手段と、前記検査時に使用した機器の情報を取得するための機器情報取得手段と、前記画像情報取得手段によって取得した画像情報と、前記機器情報取得手段によって取得した機器情報とを関連づけられた１つの情報として記録する記録手段と、を有することを特徴とする医療用画像記録システムである。
【００１０】
上記請求項１記載の発明によると、画像情報取得手段によって検査時に取得した画像情報と、機器情報取得手段によって取得した検査時に使用した機器情報とが、記録手段によって関連づけられた１つの情報として記録される作用効果を奏する。
請求項２記載の発明は、前記機器情報取得手段によって取得する機器情報は、機器の型名、シリアルナンバ、使用時間、使用回数、設定値のうち少なくとも１つを含むことを特徴とする請求項１記載の医療用画像記録システムである。
【００１１】
上記請求項２記載の発明によると、画像情報取得手段によって検査時に取得した画像情報と、機器情報取得手段によって取得した検査時に使用した機器の型名、シリアルナンバ、使用時間、使用回数、設定値のうち少なくとも１つの情報を含む機器情報とが、記録手段によって関連づけられた１つの情報として記録される作用効果を奏する。
【００１２】
請求項３記載の発明は、医療のための検査時の観察画像を取得するための画像情報取得手段と、前記検査時に使用した薬剤、又は機器の情報を取得するための薬剤又は機器情報取得手段と、前記画像情報取得手段によって取得した画像情報と、前記薬剤又は機器情報取得手段によって取得した薬剤又は機器の情報とを関連づけられた１つの情報として記録する記録手段と、を有することを特徴とする医療用画像記録システムである。
【００１３】
上記請求項３記載の発明によると、画像情報取得手段によって検査時に取得した画像情報と、薬剤又は機器情報取得手段によって検査時に使用した薬剤又は機器情報とが、記録手段によって関連づけられた１つの情報として記録される作用効果を奏する。
請求項４記載の発明は、前記薬剤又は機器情報取得手段は、薬剤又は機器に記載されている識別情報を読み込むための識別情報読取手段であることを特徴とする請求項３記載の医療用画像記録システムである。
【００１４】
上記請求項４記載の発明によると、薬剤又は機器情報取得手段に識別情報読取手段を使用して、薬剤又は機器に記載されている識別情報を読み込むことによって請求項３記載の発明と同様の作用効果を奏する。
【発明の効果】
【００１５】
以上に説明したように、請求項１及び請求項２記載の発明によると、画像情報取得手段によって検査時に取得した画像情報と、機器情報取得手段によって取得した検査時に使用した機器情報とが、記録手段によって関連づけられた１つの情報として記録されるので、検査後に画像情報を再生する際に、検査時に使用した機器情報の検索や照会が容易になる。また、電子カルテ等で検査の実施内容を記録するにあたって、検査に使用した機器の情報を、手書きメモや記憶等に頼ることなく、検査と同時に自動的に記録されることにより、入力作業を大幅に軽減すると同時に、人為的な入力ミス等による機器情報の記録ミスをなくすことが可能となる。
【００１６】
また、請求項３及び請求項４記載の発明によると、画像情報取得手段によって検査時に取得した画像情報と、薬剤又は機器情報取得手段によって検査時に使用した薬剤又は機器情報とが、記録手段によって関連づけられた１つの情報として記録されるので、検査後に画像情報を再生する際に、検査時に使用した機器情報の検索や照会が容易になる。また、電子カルテ等で検査の実施内容を記録するにあたって、検査に使用した機器の情報、及び検査に使用した薬剤の情報を、手書きメモや記憶等に頼ることなく、検査と同時に記録することが可能となり、入力作業を大幅に軽減すると同時に、人為的な入力ミス等による機器情報及び薬剤の情報の記録ミスをなくすことが可能となる。
【発明を実施するための最良の形態】
【００１７】
以下、本発明の実施形態として実施例を図１〜図１２に基づいて説明する。
図１は、本発明の第１実施例の構成概要を示す図である。
電子内視鏡装置１は、患者ＩＤ番号、年齢、性別、氏名等の患者データを入力するための患者データ入力手段２である、例えばキーボードやマウスと、電子内視鏡装置１及び電子内視鏡装置１に接続される内視鏡本体５や内視鏡本体５に光を供給するための光源装置（図示せず）の型名、Ｓ／Ｎなどの機器情報を取得するための手段である機器情報取得手段３と、内視鏡本体５からの映像を処理する映像処理部４とを有している。さらに、電子内視鏡装置１は、内視鏡本体５を介して被検体を照明する為の照明光を出射する図示しない光源装置と、この光源装置からの照明光に照明されることで得た被検体の観察像を映像信号として種々の信号処理を施す図示しない映像処理部４と、この映像信号を表示する為の図示しない観察用モニタとを有している。
【００１８】
電子内視鏡装置１、内視鏡本体５、画像記録装置７、光源装置（図示せず）のそれぞれの機器情報は、図２に示すように例えば型名やＳ／Ｎなどの情報であり、それぞれの装置内部の不揮発性メモリである例えばＥＥＰＲＯＭ等に格納されている。また、電子内視鏡装置１と画像記録装置７とは、ネットワークを介して接続され、患者データ、機器情報、及びレリーズ指示等の通信信号と、画像情報等の映像信号とを電子内視鏡装置１から画像記録装置７へ転送可能となっている。画像記録装置７には、電子内視鏡装置１からネットワークを介して送られてくる、患者データ入力手段２によって入力された患者データ９と、機器情報取得手段３によって取得された機器データ１０と、画像データ１１とを１検査単位で関連づけて管理し、不揮発性メモリ１２に格納した後、ネットワークを介して、データベースの構築されているサーバ１３に記録データ８を転送して保存する。なお、画像データ１１は、内視鏡本体５から電子内視鏡装置１へ送られた映像を映像処理部４にて、外部出力可能な形態の映像信号に処理を施し、この映像信号が、使用者によるレリーズ操作が行なわれた際に、画像記録装置７内に設けられている図示しないメモリにキャプチャされる事により生成される。また、レリーズ操作自体は電子内視鏡装置１からネットワークを介して画像記録装置７に通信信号で指示しても良いし、画像記録装置７に直接指示しても良い。
【００１９】
本発明の第１実施例の処理概要を、図３に示すフローチャートで説明する。
検査を開始するに際し、患者データ入力手段、例えば電子内視鏡装置１に接続されているキーボードやマウス等から患者データ（患者固有のＩＤ番号、氏名、性別など）が入力されると、電子内視鏡装置１内のＣＰＵの制御により、電子内視鏡装置１からネットワークを介して画像記録装置７に送信さる。電子内視鏡装置１から転送されたデータは、患者データ９として画像記録装置７内のメモリに格納される（ステップＳ３０）。
【００２０】
ステップＳ３０により、電子内視鏡装置１の患者データ入力手段２から患者データの入力が完了すると、電子内視鏡装置１にあるＣＰＵの制御によって、電子内視鏡装置１に接続されている機器の情報の取得処理を実行する。電子内視鏡装置１は、ＣＰＵの制御によって、電子内視鏡装置１及び電子内視鏡装置１に接続される光源装置（図示せず）、内視鏡本体５、画像記録装置７とデータ通信を行ない、それぞれの装置について、例えば図２に示すように、型名、Ｓ／Ｎ（シリアルナンバ）、使用時間、使用回数などの情報を取得する。取得した情報は、電子内視鏡装置１内のＣＰＵの制御によって、電子内視鏡装置１からネットワークを介して、ステップＳ３０と同様に画像記録装置７に転送される。転送されたデータは、画像記録装置７内のメモリに機器データ１０として記録される（ステップＳ３１）。
【００２１】
電子内視鏡装置１に接続されている各装置の機器データ１０の取得が完了すると、検査が開始され、例えば内視鏡本体５の体腔内挿入部を体腔内に挿入して撮影をし、電子内視鏡装置１又は画像記録装置７に接続されている観察モニタ（図示せず）によって観察し、検査が行なわれる（ステップＳ３２）。
【００２２】
医療用画像記録システムの使用者は、観察モニタを見ながら検査を進め、必要な画像については、内視鏡本体５の操作部を操作することによって画像情報を保存するレリーズ操作を行なう。内視鏡本体５から電子内視鏡装置１へ送られている映像の内、上記操作を行なうことによって、使用者が必要と思う画像情報が、電子内視鏡装置１内のＣＰＵの制御によって、画像記録装置７にキャプチャ指示が行われ、ネットワークを介して送られている映像信号を画像記録装置７内に設けた図示しないメモリに画像データ１１としてキャプチャされる（ステップＳ３３）。
検査（撮影）が終了でない場合には、ステップ３３の処理を繰り返すことになる（ステップＳ３４）。
【００２３】
１つの検査（撮影）が終了すると、画像記録装置７は、画像記録装置７内にあるメモリに格納されている患者データ９、機器データ１０、画像データ１１を１つの検査の記録データ８として不揮発性メモリ１２に保存する。さらに、不揮発性メモリ１２に保存された記録データ８は、ＬＡＮ（ローカルエリアネットワーク）を介して、データベースのサービスを有するサーバ１３に送信される（ステップＳ３５）。
【００２４】
なお、本実施例では検査終了後に画像を纏めてサーバ１３に送信する構成を示したが、例えば、画像自体はレリーズ操作毎にサーバ１３に送信し、検査終了を後から送信する様にしても良い。
図４は、本発明の第２実施例の構成概要を示す図である。
【００２５】
本実施例の構成の主要部については図１と同様であるが、電子内視鏡装置１と画像記録装置７との接続形態について異なる。すなわち、電子内視鏡装置１は、患者ＩＤ番号、年齢、性別、氏名等の患者データを入力するための患者データ入力手段２である、例えばキーボードやマウスと、電子内視鏡装置１及び電子内視鏡装置１に接続される内視鏡本体５や内視鏡本体５に光を供給するための光源装置（図示せず）の型名、Ｓ／Ｎなどの機器情報を取得するための手段である機器情報取得手段３と、内視鏡本体５からの映像を処理する映像処理部４とを有している。電子内視鏡装置１、内視鏡本体５、画像記録装置７、光源装置（図示せず）のそれぞれの機器情報は、図２に示すように例えば型名やＳ／Ｎなどの情報であり、それぞれの装置内部の不揮発性メモリである例えばＥＥＰＲＯＭ等に格納されている。また、電子内視鏡装置１と画像記録装置７間には、患者データや機器情報の通信、レリーズ指示のための例えばＲＳ２３２Ｃケーブルと、画像情報の送受信のための映像送信用ケーブルとが接続されている。
【００２６】
画像記録装置７には、電子内視鏡装置１から送られてくる、患者データ入力手段２によって入力された患者データ９と、機器情報取得手段３によって取得された機器データ１０と、画像データ１１とを１検査単位で関連づけて管理し、不揮発性メモリ１２に格納した後、ネットワークを介して、データベースの構築されているサーバ１３に記録データ８を転送して保存する。なお、画像データ１１は、内視鏡本体５から電子内視鏡装置１へ送られた映像を映像処理部４にて、外部出力可能な形態の映像信号に処理を施し、この映像信号が、使用者によるレリーズ操作が行なわれた際に、画像記録装置７内に設けられている図示しないメモリにキャプチャされる事により生成される。また、レリーズ操作自体は電子内視鏡装置１から画像記録装置７に通信信号にて指示しても良いし、画像記録装置７に直接指示しても良い。
【００２７】
本発明の第２実施例の処理概要を、図３に示すフローチャートで説明する。
検査を開始するに際し、患者データ入力手段、例えば電子内視鏡装置１に接続されているキーボードやマウス等から患者データ（患者固有のＩＤ番号、氏名、性別など）が入力されると、電子内視鏡装置１内のＣＰＵの制御により、電子内視鏡装置１と画像記録装置７とに接続されている通信ケーブル（例えばＲＳ２３２Ｃなど）を介して、画像記録装置７に送信さる。電子内視鏡装置１から転送されたデータは、患者データ９として画像記録装置７内のメモリに格納される（ステップＳ３０）。
【００２８】
ステップＳ３０により、電子内視鏡装置１の患者データ入力手段２から患者データの入力が完了すると、電子内視鏡装置１にあるＣＰＵの制御によって、電子内視鏡装置１に接続されている機器の情報の取得処理を実行する。電子内視鏡装置１は、ＣＰＵの制御によって、電子内視鏡装置１及び電子内視鏡装置１に接続される光源装置（図示せず）、内視鏡本体５、画像記録装置７とデータ通信を行ない、それぞれの装置について、例えば図２に示すように、型名、Ｓ／Ｎ（シリアルナンバ）、使用時間、使用回数などの情報を取得する。取得した情報は、電子内視鏡装置１内のＣＰＵの制御によって、電子内視鏡装置１と画像記録装置７とに接続されている通信ケーブルを介して、ステップＳ３０と同様に画像記録装置７に転送される。転送されたデータは、画像記録装置７内のメモリに機器データ１０として記録される（ステップＳ３１）。
【００２９】
電子内視鏡装置１に接続されている各装置の機器データ１０の取得が完了すると、検査が開始され、例えば内視鏡本体５の体腔内挿入部を体腔内に挿入して撮影をし、電子内視鏡装置１又は画像記録装置７に接続されている観察モニタ（図示せず）によって観察し、検査が行なわれる（ステップＳ３２）。
【００３０】
医療用画像記録システムの使用者は、観察モニタを見ながら検査を進め、必要な画像については、内視鏡本体５の操作部を操作することによって画像情報を保存するレリーズ操作を行なう。内視鏡本体５から電子内視鏡装置１へ送られている映像の内、上記操作を行なうことによって、使用者が必要と思う画像情報が、電子内視鏡装置１内のＣＰＵの制御によって、画像記録装置７にキャプチャ指示が行われ、この時に映像信号用ケーブルから送られている映像信号を画像記録装置７内に設けた図示しないメモリに画像データ１１としてキャプチャされる（ステップＳ３３）。
【００３１】
検査（撮影）が終了でない場合には、ステップ３３の処理を繰り返すことになる（ステップＳ３４）。
１つの検査（撮影）が終了すると、画像記録装置７は、画像記録装置７内にあるメモリに格納されている患者データ９、機器データ１０、画像データ１１を１つの検査の記録データ８として不揮発性メモリ１２に保存する。さらに、不揮発性メモリ１２に保存された記録データ８は、ＬＡＮ（ローカルエリアネットワーク）を介して、データベースのサービスを有するサーバ１３に送信される（ステップＳ３５）。
【００３２】
なお、本実施例では検査終了後に画像を纏めてサーバ１３に送信する構成を示したが、例えば、画像自体はレリーズ操作毎にサーバ１３に送信し、検査終了を後から送信する様にしても良い。
図５は、本発明の第３実施例の構成概要を示す図である。電子内視鏡装置１、内視鏡本体５、及び画像記録装置７の構成については、第１実施例で説明した構成と同様であり、電子内視鏡装置１は、患者ＩＤ、年齢、性別、氏名等の患者データを入力するための患者データ入力手段２である、例えばキーボードやマウスと、電子内視鏡装置１と電子内視鏡装置１に接続される内視鏡本体５や光源装置（図示せず）のＳ／Ｎなどの機器情報を取得するための手段である機器情報取得手段３と、内視鏡本体５からの映像を処理する映像処理部４とを有している。電子内視鏡装置１、内視鏡本体５、画像記録装置７、光源装置（図示せず）のそれぞれの機器情報は、図２に示すように例えば型名やＳ／Ｎなどの情報であり、それぞれの装置内部の不揮発性メモリである例えばＥＥＰＲＯＭ等に格納されている。また、電子内視鏡装置１と画像記録装置７間には、患者データや機器情報の通信、レリーズ指示のためにＲＳ２３２Ｃケーブルと、画像情報の送受信のための映像送信用ケーブルとが接続されている。画像記録装置７には、電子内視鏡装置１から送られてくる、患者データ入力手段２によって入力された患者データ９や、機器情報取得手段３によって取得された機器データ１０、画像データ１１とを１検査単位で関連づけて管理し、不揮発性メモリ１２に格納した後、ネットワークを介して、データベースの構築されているサーバ１３に記録データ８を転送して保存する。なお、画像データ１１は、内視鏡本体５から電子内視鏡装置１へ送られた映像を映像処理部４にて、外部出力可能な形態の映像信号に処理を施し、この映像信号が、使用者によるレリーズ操作が行なわれた際に、画像記録装置７内に設けられている図示しないメモリにキャプチャされる事により生成される。また、レリーズ操作自体は電子内視鏡装置１から画像記録装置７に通信信号にて指示しても良いし、画像記録装置７に直接指示しても良い。
【００３３】
第３実施例の構成では、上記の第１実施例と同様の構成に加えて、識別情報読取手段１４が電子内視鏡装置１に接続されている。識別情報読取手段１４を使用して、検査時に検査に使用した、薬剤や機器、あるいは電子内視鏡装置１に接続されていない機器、に記されている識別情報記憶手段を読込むことにより、検査に使用した薬剤の情報や機器情報、及び検査に使用した電子内視鏡装置１に接続されていない機器の情報を取得することが可能となる。
【００３４】
ここで、前記識別情報記憶手段は、固有の情報を記録したＲＦ−ＩＤ（Ｒａｄｉｏ  Ｆｒｅｑｕｅｎｃｙ  Ｉｄｅｎｔｉｆｉｃａｔｉｏｎ）などであり、識別情報読取手段１４は、この識別情報記憶手段に接触して、若しくは非接触によって記憶されている情報を読み出すものである。
【００３５】
本発明の第３実施例の処理概要を、図６に示すフローチャートで説明する。
第１実施例の処理概要と同様に、検査を開始するに際し、患者データ入力手段、例えば電子内視鏡装置１に接続されているキーボードやマウス等から患者データ（患者固有のＩＤ番号、氏名、性別など）が入力されると、電子内視鏡装置１内のＣＰＵの制御により、通信ケーブルを介して、画像記録装置７に送信され、患者データ９として画像記録装置７内のメモリに格納される（ステップＳ５０）。
【００３６】
電子内視鏡装置１の患者データ入力手段２から患者データの入力が完了すると、電子内視鏡装置１にあるＣＰＵの制御により、電子内視鏡装置１に接続されている機器の情報取得処理が実行され、電子内視鏡装置１は、ＣＰＵの制御によって、電子内視鏡装置１及び電子内視鏡装置１に接続される光源装置（図示せず）、内視鏡本体５、画像記録装置７とデータ通信を行ない、それぞれの装置について、例えば図２に示すように、型名、Ｓ／Ｎ（シリアルナンバ）、使用時間、使用回数などの情報を取得する。取得した情報は、電子内視鏡装置１内のＣＰＵの制御によって、通信ケーブルを介して、ステップＳ５０と同様に画像記録装置７に転送される。転送されたデータは、画像記録装置７内のメモリに機器データ１０として記録される（ステップＳ５１）。さらに、検査時に使用した電子内視鏡装置１に接続されていない機器の情報についても、電子内視鏡装置１に接続されている識別情報読取手段１４を用いて、機器に記載されている識別情報記憶手段を読み込むことによって取得し、データ通信用ケーブルを介して画像記録装置７へ送信され、機器データ１０として画像記録装置７内のメモリに記録される（ステップＳ５１）。
【００３７】
また、検査時に使用した薬剤の情報についても、識別情報読取手段１４を使用して、薬剤に記載されている識別情報記憶手段から取得する。取得した情報は、電子内視鏡装置１内のＣＰＵの制御によって、通信ケーブルを介して、画像記録装置７に転送され、画像記録装置７内のメモリに機器データ１０として記録される（ステップ５２）。
【００３８】
ここで、機器情報取得手段３によって取得される機器の情報においても、識別情報読取手段１４によって、機器に記載されている識別情報記憶手段から取得してもよく、電子内視鏡装置１に接続されている識別情報読取手段１４によって、検査時に、検査に使用した機器の情報を容易に、しかも入力ミス等の人為的ミスを起こすことなく取得することが可能となる。
【００３９】
電子内視鏡装置１に接続されている各装置の機器データ１０の取得完了後に、検査が開始され、例えば内視鏡本体５の体腔内挿入部を体腔内に挿入して撮影をし、電子内視鏡装置１又は画像記録装置７に接続されている観察モニタ（図示せず）によって観察し、検査が行なわれる（ステップＳ５３）。
【００４０】
医療用画像記録システムの使用者は、観察モニタを見ながら検査を進め、必要な画像については、内視鏡本体５の操作部を操作することによって画像情報を保存するレリーズ操作を行なう。
内視鏡本体５から電子内視鏡装置１へ送られている映像で取得したい画像情報を、内視鏡本体５の操作部より操作することによって、電子内視鏡装置１内のＣＰＵの制御によって、画像記録装置７にキャプチャ指示が行われ、この時に映像信号用ケーブルから送られている映像信号を画像記録装置７内に設けた図示しないメモリに画像データ１１としてキャプチャされる（ステップＳ５５）。  １つの検査（撮影）が終了すると、画像記録装置７は、画像記録装置７内にあるメモリに格納されている患者データ９、機器データ１０、画像データ１１を１つの検査の記録データ８として不揮発性メモリ１２に保存する。さらに、不揮発性メモリ１２に保存された記録データ８は、ＬＡＮ（ローカルエリアネットワーク）を介して、データベースのサービスを有するサーバに送信される（ステップＳ５６）。
【００４１】
なお、本実施例では撮影開始前に機器情報取得Ｓ５１、薬剤情報取得Ｓ５２を行なう構成を示したが、これに限定する訳ではなく、撮影開始後に薬剤を追加する事もあるので、データを保存Ｓ５６前迄であれば、Ｓ５１、Ｓ５２が随時行える構成としても良い。
図７は、本発明の第４実施例の構成概要を示す図である。第１実施例と同様に、電子内視鏡装置１は、患者データを入力するための患者データ入力手段２である、例えばキーボードやマウスと、電子内視鏡装置１と電子内視鏡装置１に接続される内視鏡本体５や光源装置（図示せず）のＳ／Ｎなどの機器情報を取得するための手段である機器情報取得手段３と、内視鏡本体５からの映像を処理する映像処理部４とを有している。さらに、電子内視鏡装置１に接続されている内視鏡本体５から、電子内視鏡装置１へ送られた映像を、ＣＰＵの制御によってキャプチャする際に、キャプチャした画像情報に施されている画像処理情報を取得するための画像設定情報取得手段１５を有している。
【００４２】
電子内視鏡装置１と画像記録装置７間には、患者データや機器情報、画像情報の通信、レリーズ指示のための例えばＲＳ２３２Ｃケーブルと、画像情報の送受信のための映像送信用ケーブルとが接続されている。画像記録装置７には、電子内視鏡装置１から送られてくる、患者データ入力手段２によって入力された患者データ９や、機器情報取得手段３によって取得された機器データ１０、内視鏡本体５から電子内視鏡装置１へ送られた映像を映像処理部４によってキャプチャした画像データ１１、及び画像情報取得時の画像設定１６を１検査単位で関連づけて管理し、不揮発性メモリ１２に格納した後、ネットワークを介して、データベースの構築されているサーバ１３に転送され保存する。
【００４３】
本発明の第４実施例の処理概要を、図３に示すフローチャートに沿って説明する。
検査を開始するに際し、患者データ入力手段、例えば電子内視鏡装置１に接続されているキーボードやマウス等から患者データが入力されると、電子内視鏡装置１内のＣＰＵの制御により、電子内視鏡装置１と画像記録装置７とに接続されている通信ケーブルを介して、画像記録装置７に送信され、転送されたデータは、患者データ９として画像記録装置７内のメモリに格納される（ステップＳ３０）。
【００４４】
患者データ９の入力が完了すると、電子内視鏡装置１にあるＣＰＵの制御によって、電子内視鏡装置１に接続されている機器の情報の取得処理を実行する。電子内視鏡装置１は、ＣＰＵの制御によって、電子内視鏡装置１及び電子内視鏡装置１に接続される光源装置（図示せず）、内視鏡本体５、画像記録装置７とデータ通信を行ない、接続されているそれぞれの装置について、第１実施例と同様に、例えば図２に示す型名、Ｓ／Ｎ（シリアルナンバ）、使用時間、使用回数などの情報を取得する。取得した情報は、電子内視鏡装置１内のＣＰＵの制御によって、電子内視鏡装置１と画像記録装置７とに接続されている通信ケーブルを介して、ステップＳ３０と同様に画像記録装置７に転送され、画像記録装置７内のメモリに機器データ１０として記録される（ステップＳ３１）。
【００４５】
電子内視鏡装置１に接続されている各装置の機器データ１０の取得が完了すると、検査が開始され、例えば内視鏡本体５の体腔内挿入部を体腔内に挿入して撮影をし、電子内視鏡装置１又は画像記録装置７に接続されている観察モニタ（図示せず）によって観察し、検査が行なわれる（ステップＳ３２）。
【００４６】
医療用画像記録システムの使用者は、観察モニタを見ながら検査を進め、必要な画像については、内視鏡本体５の操作部を操作することによって画像情報を保存するレリーズ操作を行なう。内視鏡本体５から電子内視鏡装置１へ送られている映像の内、上記操作を行なうことによって、使用者が必要と思う画像情報が、電子内視鏡装置１内のＣＰＵの制御によって、画像記録装置７にキャプチャ指示が行われ、この時に映像信号用ケーブルから送られている映像信号を画像記録装置７内に設けた図示しないメモリに画像データ１１としてキャプチャされる（ステップＳ３３）。
第４実施例では、画像情報のキャプチャと同時に、撮影時（画像情報取得時）の画像処理の設定条件を画像設定情報として取得する。電子内視鏡装置１内のＣＰＵは、画像のキャプチャ処理と同時に、画像処理の画像設定情報を取得し、通信用ケーブルを介して、画像記録装置７へ送信する。電子内視鏡装置１より送られた画像設定情報は、画像記録装置７内のメモリに画像設定１６として格納される。
【００４７】
検査（撮影）が終了でない場合には、ステップ３３の処理を繰り返すことになる（ステップＳ３４）。
１つの検査（撮影）が終了すると、画像記録装置７は、画像記録装置７内にあるメモリに格納されている患者データ９、機器データ１０、画像データ１１、画像設定１６を１つの検査の記録データ８として不揮発性メモリ１２に保存する。さらに、不揮発性メモリ１２に保存された記録データ８は、ＬＡＮ（ローカルエリアネットワーク）を介して、データベースのサービスを有するサーバ１３に送信される（ステップＳ３５）。
【００４８】
ところで、従来の画像記録システムにおいては、画像記録装置７と画像記録装置７に接続される機器が、例えば画像記録装置７と電子内視鏡装置１といった具合に１対１の関係にあった。このように、画像記録装置７に接続される機器が特定されていたため、エラーメッセージを観察モニタ等の表示画面に表示する場合には、あらかじめ決められた画面表示レイアウトにしたがって表示を行なうことができ、検査時の撮影映像が隠れない場所に表示することが可能であった。
【００４９】
しかし、超音波装置など、複数の装置を画像記録装置７に接続するような場合（画像記録装置７と画像記録装置７に接続する機器が１：ｎの関係の場合）、従来のように、あらかじめ決められた表示画面レイアウトにしたがって、決められた画面位置にエラーメッセージを表示すると、検査時の撮影画像がメッセージの表示によって隠れてしまう問題や、医療機器毎にエラーの内容やエラーに対する対策内容異なっていても、画一的なメッセージしか表示できないため、使用者に理解し難いという問題が生じていた。
【００５０】
そこで、図８に示すように、機器情報取得手段３によって取得した機器データ１０に基づいて、メッセージの表示位置（表示レイアウト）、メッセージ内容を決定し、観察モニタの画面に表示することで、上記の問題を解決することが可能となる。
図８において、第１実施例と同様に、患者データ入力手段、例えば電子内視鏡装置１に接続されているキーボードやマウスなどから患者データが入力されると、電子内視鏡装置１内のＣＰＵの制御により、電子内視鏡装置１と画像記録装置７とに接続されている通信ケーブルを介して、画像記録装置７に送信され、患者データ９として画像記録装置７内のメモリに格納される。患者データ９の入力が完了すると、電子内視鏡装置１にあるＣＰＵの制御によって、電子内視鏡装置１に接続されている機器の情報の取得処理が実行され、電子内視鏡装置１内のＣＰＵの制御によって、電子内視鏡装置１及び電子内視鏡装置１に接続される光源装置（図示せず）、内視鏡本体５、画像記録装置７とデータ通信を行ない、それぞれの装置について第１実施例と同様に、機器情報を取得する。取得した情報は、電子内視鏡装置１内のＣＰＵの制御によって、電子内視鏡装置１と画像記録装置７とに接続されている通信ケーブルを介して、画像記録装置７に転送され、画像記録装置７内のメモリに機器データ１０として記録される。
【００５１】
ここで、エラーメッセージを表示する場合に、機器情報取得手段３によって取得した機器データ１０に基づいて、メッセージ判別手段１７によって、観察モニタ１９の画面に表示するメッセージを作成し、さらに表示画面のレイアウトを決定する。例えば、画像記録装置７内のＣＰＵの制御により、メモリ内に格納されている機器データを参照し、観察モニタ１９がハイビジョン仕様か、標準仕様かを判別する。図９は、ハイビジョン仕様の内視鏡観察モニタの画面の一例を示しており、エラー等のメッセージを表示するための領域であるメッセージウインドウエリア２０、メッセージウインドウエリア２１を有している。観察画像は、観察画像表示部２２に表示される。また、図１０は、標準仕様の内視鏡観察モニタの画面の一例を示している。エラー等のメッセージを表示するための領域に、メッセージウインドウエリア２３からメッセージウインドウエリア２６まで４つの領域を有している。観察画像は、観察画像表示部２７に表示される。観察モニタ１９が、ハイビジョン仕様の場合には、表示画面レイアウトを図９に示す画面に決定し、標準仕様である場合には、表示画面レイアウトを図１０に示す画面に決定する。または、機器情報取得手段３によって取得した機器データに基づいて、内視鏡本体５の例えば製品世代等を、ＣＰＵの制御により自動判別し、各製品世代にあった表示画面レイアウトを決定する。表示画面のレイアウトを決定した後、レイアウトに合ったメッセージパターンをＣＰＵの制御により生成しする。生成されたメッセージは、メッセージ合成手段１８によって撮影画像に組み込まれ、観察モニタ１９に表示される。
【００５２】
さらに、従来の機器の設定等の操作では、ある一連の設定操作後にエラーメッセージを表示していた。このため、表示されたエラーメッセージから次ぎに何の操作をして対処すればよいかの判断が難しいことや、機器を使用する人のスキルによって、スキルの高い使用者にとっては、細かなエラーメッセージは煩わしく、スキルの低い使用者にとっては、簡単なエラーメッセージではエラーメッセージに対して、どの様に対処していか理解できないといった問題があった。図８に示すように、メッセージ判別手段１７において、通常の設定操作時においては、一つの設定項目を設定すると、次にどの設定操作を行なえばよいかを指示するメッセージを作成して画面に表示し、設定操作時にエラーを検出した場合には、検出したエラーに対する対処をメッセージに表示することや（図１１のメッセージ表示部２８）、予めスキルの程度を設定することにより、使用者のスキルに合ったメッセージを作成して画面に表示することが可能になる。
【００５３】
図１２は、本発明の実施形態で使用する回路構成である。
電子内視鏡装置１にあっては、ＣＰＵ２９、メモリ３０（不揮発性メモリにおいてはＲＯＭやＥＥＰＲＯＭ等、揮発性メモリにおいてはＲＡＭ等）、入力装置３１（キーボードやマウスなど）、出力装置３２（観察モニタ、画像信号用Ｉ／Ｆ、電気通信用Ｉ／Ｆなど）、外部記憶装置３３（ハードディスクや光ディスク装置など）、媒体駆動装置３４（ＣＤＲＯＭドライブ装置）、ネットワーク接続装置３６、画像処理部（図示せず）が設けられ、これらの各構成部品はバス３８によって接続されている。
【００５４】
ＣＰＵ２９は、不揮発メモリである例えばＲＯＭ、あるいは、外部記録装置３３である例えばハードディスクより電子内視鏡装置１を制御するためのプログラムを読み出し、プログラムに沿って制御を実施する。また、ＲＡＭへのデータの書き込み処理及び読込み処理を行なう。また、不揮発メモリである例えばＥＥＰＲＯＭには、図２に１例として示したように型名やＳ／Ｎ等の機器情報が格納され、必要に応じて、ＣＰＵ２９がＥＥＰＲＯＭより機器情報を読み出し、一時的にＲＡＭへ書き込みを実施する。電子内視鏡装置１に接続されている全ての機器情報が読み出された後、通信用ケーブル（例えばＲＳ２３２Ｃ）を通して画像記録装置７へ送信される。
【００５５】
内視鏡本体５より送られた画像情報は、画像信号用Ｉ／Ｆを介してＲＡＭ等の揮発性メモリに一時格納された後、画像処理部（図示せず）へ送られ、操作者の設定に応じて画像情報が加工される。加工された画像情報は、Ｄ／Ａ変換等の処理が実施され、例えばＲＧＢの映像信号を出力装置３２である観察モニタへ出力し、表示される。
【００５６】
内視鏡本体５にあっては、ＣＰＵ２９、メモリ３０（不揮発性メモリにおいてはＲＯＭやＥＥＰＲＯＭ等、揮発性メモリにおいてはＲＡＭ等）、入力装置３１（内視鏡本体５の操作部や体腔内挿入部等）、出力装置３２（画像信号用Ｉ／Ｆ、電気通信用Ｉ／Ｆなど）が設けられ、これらの各構成部品はバス３８によって接続されている。
【００５７】
ＣＰＵ２９は、不揮発メモリである例えばＲＯＭまたはＥＥＰＲＯＭより内視鏡本体５を制御するためのプログラムを読み出し、プログラムに沿って制御を実施する。また、ＲＡＭへのデータの書き込み処理及び読込み処理を行なう。不揮発メモリである例えばＥＥＰＲＯＭには、図２に１例として示したように型名やＳ／Ｎ、使用回数等の機器情報が格納され、電子内視鏡装置１より、電気通信用Ｉ／Ｆを介して機器情報の読込み指示があった場合には、ＣＰＵ２９の制御によりＥＥＰＲＯＭから機器情報が読み出され、電気通信用Ｉ／Ｆを通して電子内視鏡装置１へ送信される。
【００５８】
画像記録装置７にあっては、ＣＰＵ２９、メモリ３０（不揮発性メモリにおいてはＲＯＭやＥＥＰＲＯＭ等、揮発性メモリにおいてはＲＡＭ等）、入力装置３１（キーボードやマウスなど）、出力装置３２（観察モニタ、画像信号用Ｉ／Ｆ、電気通信用Ｉ／Ｆなど）、外部記憶装置３３（ハードディスクや光ディスク装置など）、媒体駆動装置３４（ＣＤＲＯＭドライブ装置）、ネットワーク接続装置３６が設けられ、これらの各構成部品はバス３８によって接続されている。
【００５９】
ＣＰＵ２９は、不揮発メモリである例えばＲＯＭ、あるいは、外部記録装置３３である例えばハードディスクより画像記録装置７を制御するためのプログラムを読み出し、プログラムに沿って制御を実施する。また、ＲＡＭへのデータの書き込み処理及び読込み処理を行なう。また、不揮発メモリである例えばＥＥＰＲＯＭには、図２に１例として示したように型名やＳ／Ｎ等の機器情報が格納されている。電子内視鏡装置１より、電気通信用Ｉ／Ｆ（例えばＲＳ２３２Ｃ）を介して機器情報の読込み指示があった場合には、ＣＰＵ２９の制御によりＥＥＰＲＯＭから機器情報が読み出され、電気通信用Ｉ／Ｆを通して電子内視鏡装置１へ送信される。
【００６０】
電子内視鏡装置１より送られた画像情報は、画像信号用Ｉ／Ｆを介してＲＡＭ等の揮発性メモリに一時格納された後、不揮発性メモリである例えばＥＥＰＲＯＭ等に格納される。あるいは、画像信号用Ｉ／Ｆを介して直接に、ＥＥＰＲＯＭ等に格納される。同様に、電子内視鏡装置１から電気通信用Ｉ／Ｆを介して送られた患者データ、機器情報もＲＡＭ等の揮発性メモリに一時格納された後、あるいは電子内視鏡装置１から電気通信用Ｉ／Ｆを介して直接に、ＥＥＰＲＯＭ等に格納される。ＥＥＰＲＯＭ等に格納されたデータは、画像記録装置７内にある外部記憶装置３３であるハードディスク等に格納される、あるいは、ネットワーク接続装置３６、ネットワーク３７を介してデータベースサービスを提供するサーバにデータを送信され、保存される。
【００６１】
なお、不揮発性メモリは、ＥＥＰＲＯＭに媒体が限定されるものではなく、フラッシュメモリ等を用いても良い。
以上の第１実施例、第３実施例、第４実施例の説明において、１検査単位にそれぞれ関連づけられた記録データ８は、ＬＡＮを介したネットワーク上のサーバに記録されることに限定されることはなく、画像記録装置７に直接接続されるハードディスク（磁気ディスク）等の外部記録装置に記録されてもよい。
【００６２】
また、記録データは外部記憶装置への保存に限定されるものでなく、画像記録装置７内部にフラッシュメモリ等の不揮発メモリを用いて保存しても良い。
また、１検査単位に関連づける処置にあっては、画像記録装置７によって処理されてもよく、データベースの機能を利用して処理されてもよい。
【００６３】
患者データ入力手段２による患者データの取得処理、機器情報取得手段３による機器情報の取得処理、映像処理部４による画像情報の取得処理は、図３に示す順番に限られない。例えば、１検査を実施するにあたって、映像処理部４によって画像情報を取得した後、患者データの取得処理及び機器情報の取得処理が実施されてもよい。また、同様に、図６にあっても、患者データ入力手段２による患者データの取得処理、機器情報取得手段３による機器情報の取得処理、映像処理部４による画像情報の取得処理、及び識別情報読取手段１４により取得する薬剤情報取得処理、あるいは電子内視鏡装置１に接続されていない機器情報の取得処理についても、図６に示す順番に限られない。ここで、薬剤情報取得処理や機器情報取得処理を経て記録したデータは、例えば検査終了後に作成する電子カルテに反映させるようにしても良い。
【００６４】
１つの検査が継続されている場合において、患者データ入力手段２によって取得した患者データ９、機器情報取得手段３によって取得した機器データ１０、映像処理部４によって取得した画像データ１１は、画像記録装置７内のメモリに一時的に格納されなければならないわけでなく、直接画像記録装置７内の不揮発性メモリである例えばＥＥＰＲＯＭ等に格納してもよい。
［付記］
１．医療のための検査時に観察画像を取得するための画像情報取得手段と、該画像情報取得手段により観察画像を取得すると同時に、該観察画像に関連する設定情報を取得する画像設定情報取得手段と、前記検査時に使用した機器の情報を取得するための機器情報取得手段と、前記画像情報取得手段によって取得した画像情報と、前記機器情報取得手段によって取得した機器情報と、前記画像設定情報取得手段によって取得した画像設定情報とを関連づけられた１つの情報として記録する記録手段と、を有することを特徴とする医療用画像記録システム。
（作用・効果）
付記１の構成により、検査時に画像情報取得手段により観察画像を記録すると同時に、画像設定情報取得手段により取得した画像設定情報（画像の強調度合いなど）、及び機器情報取得情報手段により取得した機器情報を観察画像と関連づけて記録することによって、検査後の観察画像再生時に、検索や照合が容易になる。また、検査後に観察画像を見る際に、観察画像を取得する際に使用した機器の情報や設定条件等の情報を確実かつ容易に取り出すことが可能となる。さらに、画像設定情報（強調、コンストラストなど）あるいは機器情報（例えば観察画像取得時の光源装置におけるランプの明るさの度合いなど）に基づいて、観察画像に施されている処理を外す等の変更や、観察者の好みに応じた視覚効果を得るための画像処理を容易に実施することが可能となり、より精密な診断をすることが可能となる。
２．医療のための検査時に、該検査に使用した機器の情報を取得するための機器情報取得手段と、該機器情報取得手段によって取得した機器情報に基づいてメッセージの内容を決定するメッセージ判別手段と、該メッセージ判別手段によって決定されたメッセージ内容を表示するメッセージ表示手段と、を有することを特徴とする医療用画像記録システム。
３．医療のための検査時に、該検査に使用した機器の情報を取得するための機器情報取得手段と、該機器情報取得手段によって取得した機器情報のうち、機器の型名に基づいてメッセージの内容及び表示画面レイアウトを決定するメッセージ判別手段と、該メッセージ判別手段によって決定されたメッセージ内容を、前記メッセージ判別手段によって決定された画面表示レイアウトにしたがって表示するメッセージ表示手段と、を有することを特徴とする医療用画像記録システム。
４．前記薬剤または機器情報取得手段で記録したデータは、電子カルテに反映させることを特徴とする医療用画像記録システム。
【図面の簡単な説明】
【００６５】
【図１】本発明の第１実施形態の機能構成図である。
【図２】機器データフォーマットの一例を示す図である。
【図３】医療用画像記録システムの第１実施形態の処理概要を示すフローチャートである。
【図４】本発明の第２実施形態の機能構成図である。
【図５】本発明の第３実施形態の機能構成図である。
【図６】医療用画像記録システムの第３実施形態の処理概要を示すフローチャートである。
【図７】本発明の第４実施形態の機能構成図である。
【図８】本発明の第５実施形態の機能構成図である。
【図９】ハイビジョン仕様の内視鏡観察画像の一例を示す図である。
【図１０】標準仕様の内視鏡観察画像の一例を示す図である。
【図１１】メッセージ表示画面の一例を示す図である。
【図１２】本発明の実施形態で使用する回路構成の例を示す図である。
【符号の説明】
【００６６】
１   ・・・ 電子内視鏡装置
２   ・・・ 患者データ入力手段
３   ・・・ 機器情報取得手段
４   ・・・ 画像情報取得手段
５   ・・・ 内視鏡本体
６   ・・・ スコープＩＤ
７   ・・・ 画像記録装置
８   ・・・ 記録データ
９   ・・・ 患者データ
１０ ・・・ 機器データ
１１ ・・・ 画像データ
１２ ・・・ 不揮発性メモリ
１３ ・・・ サーバ
１４ ・・・ 識別情報読取手段
１５ ・・・ 画像設定情報取得手段
１６ ・・・ 画像設定
１７ ・・・ メッセージ判別手段
１８ ・・・ メッセージ合成手段
１９ ・・・ 観察モニタ
【図１】
2005011309.tif 000003
【図２】
2005011309.tif 000004
【図３】
2005011309.tif 000005
【図４】
2005011309.tif 000006
【図５】
2005011309.tif 000007
【図６】
2005011309.tif 000008
【図７】
2005011309.tif 000009
【図８】
2005011309.tif 000010
【図９】
2005011309.tif 000011
【図１０】
2005011309.tif 000012
【図１１】
2005011309.tif 000013
【図１２】
2005011309.tif 000014